(57)【特許請求の範囲】
【請求項１】
被検者の生体情報を測定する生体情報測定装置であって、
前記被検者の第１の部位に装着可能に構成された第１の発光部と第１の受光部とを有し、前記第１の発光部から発光されて前記第１の部位を透過しまたは前記第１の部位にて反射した複数波長の光を前記第１の受光部にて検知する第１の検知部と、
前記被検者の第２の部位に装着可能に構成された第２の発光部と第２の受光部とを有し、前記第２の発光部から発光されて前記第２の部位を透過しまたは前記第２の部位にて反射した複数波長の光を前記第２の受光部にて検知する第２の検知部と、
前記第１の発光部および前記第２の発光部を選択的に駆動して発光させる駆動部と、
前記第１の発光部の発光駆動中は、前記第１の受光部にて得られる第１の検知結果に基づいて前記生体情報を導出し、前記第２の発光部の発光駆動中は、前記第２の受光部にて得られる第２の検知結果に基づいて前記生体情報を導出する導出部と、
時間の計時を行う計時部と、
を有し、
前記駆動部は、駆動する発光部を、前記計時部の計時結果に従って、前記第１の発光部および前記第２の発光部の一方から他方に切り替える、
生体情報測定装置。
【請求項２】
前記駆動部は、導出される前記生体情報に所定レベル以上のノイズが混入するときには一時的に、前記第１の発光部および前記第２の発光部の双方を駆動して発光させる、
請求項１記載の生体情報測定装置。
【請求項３】
前記導出部は、前記第１の発光部および前記第２の発光部の双方の発光駆動中は、前記第１の検知結果および前記第２の検知結果の双方に基づいて、導出される前記生体情報を平均化する、
請求項２記載の生体情報測定装置。
【請求項４】
前記駆動部は、前記生体情報の測定の異常が検出された場合に、駆動する発光部を、前記第１の発光部および前記第２の発光部の一方から他方に切り替える、
請求項１記載の生体情報測定装置。
【請求項５】
請求項１記載の生体情報測定装置と、
前記第１の発光部の発光駆動中は、前記第１の検知結果に基づく前記生体情報を画面に表示し、前記第２の発光部の発光駆動中は、前記第２の検知結果に基づく前記生体情報を前記画面に表示する表示部と、
を有する生体情報モニタ装置。
【請求項６】
前記表示部は、前記第１の検知結果に基づく前記生体情報を表す波形と前記第２の検知結果に基づく前記生体情報を表す波形とを１波形として表示する、
請求項５記載の生体情報モニタ装置。
【請求項７】
前記表示部は、前記第１の発光部の発光駆動中は、前記第２の検知結果に基づく前記生体情報を表す波形または数値を表示せずに、前記第１の検知結果に基づく前記生体情報を表す波形または数値を表示し、前記第２の発光部の発光駆動中は、前記第１の検知結果に基づく前記生体情報を表す波形または数値を表示せずに、前記第２の検知結果に基づく前記生体情報を表す波形または数値を表示する、
請求項５記載の生体情報モニタ装置。
【請求項８】
前記駆動部は、導出される前記生体情報に所定レベル以上のノイズ成分が混入するときには一時的に、前記第１の発光部および前記第２の発光部の双方を駆動して発光させ、
前記導出部は、前記第１の発光部および前記第２の発光部の双方の発光駆動中は、前記第１の検知結果および前記第２の検知結果の双方に基づいて、導出される前記生体情報を平均化し、
前記表示部は、平均化された前記生体情報を前記画面に表示する、
請求項５記載の生体情報モニタ装置。
【発明の詳細な説明】
【技術分野】
【０００１】
本発明は、生体情報として例えば動脈血酸素飽和度（ＳｐＯ２）などの生体パラメータを測定する生体情報測定装置および生体情報モニタ装置に関する。
【背景技術】
【０００２】
パルスオキシメータは、動脈血における総ヘモグロビンに対する酸化ヘモグロビンの割合を表す生体パラメータである動脈血酸素飽和度（以下、単に「酸素飽和度」という）を非侵襲的に測定することができる生体情報測定装置である（例えば特許文献１参照）。
【０００３】
酸素飽和度を測定する際には通常、発光部としての発光ダイオードと受光部としてのフォトダイオードとを有するセンサを被検者の特定部位（例えば、指先、つま先など）に装着する。そして、発光部から発光されてセンサ装着部位を透過しまたはそこで反射した赤色光および赤外光を受光部にて検知する。そして、検知結果を示す受光信号に対して復調などの処理を施し、処理後の信号を用いて酸素飽和度を算出する。
【先行技術文献】
【特許文献】
【０００４】
【特許文献１】特開２００１−７８９９０号公報
【発明の概要】
【発明が解決しようとする課題】
【０００５】
しかしながら、上記従来のパルスオキシメータにおいては、発光部が発光中に発熱するため、酸素飽和度を長時間連続測定する場合にその発熱に起因してセンサ装着部位に低温やけどを発症する可能性がある。一般に、このような低温やけどの予防策としては、数時間ごとにセンサを付け替えてセンサ装着部位を変えることが挙げられる。ところが、この手法は、手間がかかるという問題があるだけでなく、一時的なセンサ取り外しを余儀なくされることで波形が途切れるため、実質的には長時間連続測定を行えないという問題がある。
【０００６】
本発明の目的は、生体情報の長時間連続測定を、手間をかけずに被検者の低温やけどを予防しつつ行うことができる生体情報測定装置および生体情報モニタ装置を提供することである。
【課題を解決するための手段】
【０００７】
本発明の生体情報測定装置は、被検者の生体情報を測定する生体情報測定装置であって、前記被検者の第１の部位に装着可能に構成された第１の発光部と第１の受光部とを有し、前記第１の発光部から発光されて前記第１の部位を透過しまたは前記第１の部位にて反射した複数波長の光を前記第１の受光部にて検知する第１の検知部と、前記被検者の第２の部位に装着可能に構成された第２の発光部と第２の受光部とを有し、前記第２の発光部から発光されて前記第２の部位を透過しまたは前記第２の部位にて反射した複数波長の光を前記第２の受光部にて検知する第２の検知部と、前記第１の発光部および前記第２の発光部を選択的に駆動して発光させる駆動部と、前記第１の発光部の発光駆動中は、前記第１の受光部にて得られる第１の検知結果に基づいて前記生体情報を導出し、前記第２の発光部の発光駆動中は、前記第２の受光部にて得られる第２の検知結果に基づいて前記生体情報を導出する導出部と、時間の計時を行う計時部と、を有し、前記駆動部は、駆動する発光部を、前記計時部の計時結果に従って、前記第１の発光部および前記第２の発光部の一方から他方に切り替える。
【０００８】
本発明の生体情報モニタ装置は、上記生体情報測定装置と、前記第１の発光部の発光駆動中は、前記第１の受光信号に基づく前記生体情報を画面に表示し、前記第２の発光部の発光駆動中は、前記第２の受光信号に基づく前記生体情報を前記画面に表示する表示部と、を有する。
【発明の効果】
【０００９】
本発明によれば、生体情報の長時間連続測定を、手間をかけずに被検者の低温やけどを予防しつつ行うことができる。
【図面の簡単な説明】
【００１０】
【図１】本発明の一実施の形態に係る生体情報モニタ装置の構成を示すブロック図
【図２】本発明の一実施の形態に係るリユーザブルセンサの外観図
【図３Ａ】図２に示すセンサの装着手順の第１のステップを説明するための図
【図３Ｂ】図２に示すセンサの装着手順の第２のステップを説明するための図
【図４】本発明の一実施の形態に係るディスポーザブルセンサの外観図
【図５Ａ】図４に示すセンサの装着手順の第１のステップを説明するための図
【図５Ｂ】図４に示すセンサの装着手順の第２のステップを説明するための図
【図５Ｃ】図４に示すセンサの装着手順の第３のステップを説明するための図
【図６】本発明の一実施の形態に係る、タイマによるセンサ切り替えの動作を説明するためのフロー図
【図７】本発明の一実施の形態に係る酸素飽和度の表示画面例を説明するための図
【図８】本発明の一実施の形態に係る、ノイズ検出によるセンサ切り替えの動作を説明するためのフロー図
【図９】本発明の一実施の形態に係る、異常検出によるセンサ切り替えの動作を説明するためのフロー図
【発明を実施するための形態】
【００１１】
以下、本発明の実施の形態について、図面を用いて詳細に説明する。
【００１２】
図１は、本発明の一実施の形態に係る生体情報モニタ装置の構成を示すブロック図である。
【００１３】
図１の生体情報モニタ装置は、センサ１１０、１２０および生体情報モニタ本体１３０を有する。
【００１４】
第１の検知部としてのセンサ１１０は、第１の受光部としての受光部１１１および第１の発光部としての発光部１１２を有する。受光部１１１はフォトダイオード１１３を有し、発光部１１２は発光ダイオード１１４、１１５を有する。発光ダイオード１１４は駆動されると波長λ１の赤外光を発光し、発光ダイオード１１５は駆動されると波長λ２の赤色光を発光する。フォトダイオード１１３は赤外光および赤色光を受光したときに第１の受光信号としての電流信号を生成することにより、赤外光および赤色光を検知する。
【００１５】
また、センサ１１０は、被検者の特定部位（以下「第１のセンサ装着部位」という）に装着可能である。センサ１１０が第１のセンサ装着部位に装着されているときに発光ダイオード１１４、１１５が駆動されて発光すると、第１のセンサ装着部位が赤外光および赤色光で照射される。このとき、フォトダイオード１１３が第１のセンサ装着部位を透過しまたは第１のセンサ装着部位にて反射した光を検知することができるように、センサ１１０は構成されている。
【００１６】
第２の検知部としてのセンサ１２０は、第２の受光部としての受光部１２１および第２の発光部としての発光部１２２を有する。受光部１２１はフォトダイオード１２３を有し、発光部１２２は発光ダイオード１２４、１２５を有する。発光ダイオード１２４は駆動されると波長λ１の赤外光を発光し、発光ダイオード１２５は駆動されると波長λ２の赤色光を発光する。フォトダイオード１２３は赤外光および赤色光を受光したときに第２の受光信号としての電流信号を生成することにより、赤外光および赤色光を検知する。
【００１７】
また、センサ１２０は、被検者の特定部位（以下「第２のセンサ装着部位」という）に装着可能である。センサ１２０が第２のセンサ装着部位に装着されているときに発光ダイオード１２４、１２５が駆動されて発光すると、第２のセンサ装着部位が赤外光および赤色光で照射される。このとき、フォトダイオード１２３が第２のセンサ装着部位を透過しまたは第２のセンサ装着部位にて反射した光を検知することができるように、センサ１２０は構成されている。
【００１８】
ここで、センサ１１０、１２０の種類について説明する。センサ１１０、１２０には様々な種類があり、被検者の疾患あるいは体重などの諸条件に応じて適切な種類を選択して使用する必要があるが、これらはリユーザブルセンサおよびディスポーザブルセンサの２種類に大別することができる。
【００１９】
図２は、リユーザブルタイプのセンサ１１０、１２０の外観図である。図２に示す例では、センサ１１０は人差し指に、センサ１２０は薬指に、それぞれ装着されている。センサ１１０、１２０は異なる指に装着されるが同じ手に装着されるため、被検者の体動あるいはセンサ１１０、１２０の接触不良などの影響がない限り、略同一の測定結果を得ることができる
【００２０】
リユーザブルタイプのセンサ１１０、１２０は、ケーブル１１０ａ、１２０ａが予め結合された構成となっているため、センサ１１０、１２０を装着するだけで酸素飽和度の測定準備を完了することができる。また、ケーブル１１０ａ、１２０ａを、センサ１１０、１２０と結合する側の数ｃｍ〜数十ｃｍを除きケーブル１１０ａ、１２０ａの全長にわたって相互結束させた構成とした場合には、センサ１１０、１２０を同一の手における異なる指に、容易装着可能である。なお、被検者の拘束を軽減するために、装着は利き腕でない方の手にすることが好ましい。また、非観血血圧測定用のカフが巻かれていない方の腕であることが好ましい。
【００２１】
リユーザブルタイプの場合、例えばセンサ１１０は、例えば図３Ａおよび図３Ｂに示す手順で指に装着することができる。まず、図３Ａに示すように、ケーブル１１０ａが接続されていて発光部（図示せず）が設けられている上部１１０ｂを手の甲側に、受光部（図示せず）が設けられている下部１１０ｃを手のひら側に、それぞれ配置する。この状態で、ヒンジ部１１０ｄのつまみ１１０ｅを押してセンサ１１０を開き、指の肉厚部分が下部１１０ｃに設けられた受光部を完全に覆うように位置決めする。そして、図３Ｂに示すように、ヒンジ部１１０ｄのつまみ１１０ｅを開いて、上部１１０ｂと下部１１０ｃとで指を挟持する。このようにしてセンサ装着を行うことができる。
【００２２】
図４は、ディスポーザブルタイプのセンサ１１０、１２０の外観図である。図４に示す例では、センサ１１０は人差し指に、センサ１２０は薬指に、それぞれ装着されている。ディスポーザブルタイプのセンサ１１０、１２０は、ケーブル（図示せず）とは独立した構成となっているため、センサ１１０、１２０を装着した後にケーブルを接続することによって、酸素飽和度の測定準備が完了する。
【００２３】
ディスポーザブルタイプの場合、例えばセンサ１１０は、例えば図５Ａ、図５Ｂおよび図５Ｃに示す手順で指に装着することができる。まず、図５Ａに示すように、センサ１１０の伸延方向と指の向きとを合わせる。そして、図５Ｂに示すように、指先近くの肉厚部分で受光部１１１が完全に覆われるようにセンサ１１０を指に当てた状態で、Ｔ字状粘着端１１０ｆを指に巻き付けるように折り曲げて指に貼付する。そして、図５Ｃに示すように、中央部１１０ｇにてセンサ１１０を折り曲げて発光部１１２を爪上に配置させた状態で、ウィング状粘着端を指に巻き付けるように折り曲げて指に貼付する。このようにしてセンサ装着を行うことができる。なお、その後コネクタタブ１１０ｉにケーブルを接続することによって、測定準備が完了する。
【００２４】
生体情報モニタ本体１３０は、電流電圧変換回路１３１、１３２、復調回路１３３、１３４、信号処理回路１３５、１３６、発光駆動回路１３７、ＣＰＵ（Central Processing Unit）１３８、操作部１３９、記憶部１４０、表示部１４１および音声出力部１４２を有する。
【００２５】
駆動部としての発光駆動回路１３７は、ＣＰＵ１３８の制御下で、センサ１１０の発光部１１２（発光ダイオード１１４、１１５）およびセンサ１２０の発光部１２２（発光ダイオード１２４、１２５）を個別に駆動して発光させる。発光駆動回路１３７は、発光部１１２を駆動する場合には、発光ダイオード１１４、１１５を交互に発光させ、発光部１２２を駆動する場合には、発光ダイオード１２４、１２５を交互に発光させる。発光駆動回路１３７は、発光ダイオード１１４、１１５の発光タイミングを復調回路１３３に通知し、発光ダイオード１２４、１２５の発光タイミングを復調回路１３４に通知する。
【００２６】
また、発光駆動回路１３７は、通常の場合には、発光部１１２の駆動および発光部１２２の駆動を並行では行わず、いずれか一方のみを行うが、所定の条件を満たした場合に限り、一時的に発光部１１２の駆動および発光部１２２の駆動を並行して両方とも行う。
【００２７】
電流電圧変換回路１３１は、フォトダイオード１１３により第１の受光信号として生成された電流信号を電圧信号に変換する。復調回路１３３は、電流電圧変換回路１３１により生成された電圧信号を、発光駆動回路１３７から通知された発光タイミングに基づいて分離して別々の電圧信号を生成し、それぞれを復調する。ここで、この分離により生成される電圧信号は、発光ダイオード１１４の赤外光発光に起因する電圧信号、および、発光ダイオード１１５の赤色光発光に起因する電圧信号である。これにより、復調回路１３３は、第１のセンサ装着部位における赤外光の吸光度の経時変化を示す第１の赤外光観測信号と、第１のセンサ装着部位における赤色光の吸光度の経時変化を示す第１の赤色光観測信号とを生成する。信号処理回路１３５は、復調回路１３３により生成された第１の赤外光観測信号および第１の赤色光観測信号に対して所定の信号処理（例えば、増幅、Ａ／Ｄ変換など）を行う。信号処理後の第１の赤外光観測信号および第１の赤色光観測信号は、ＣＰＵ１３８に入力される。
【００２８】
よって、センサ１１０、電流電圧変換回路１３１、復調回路１３３および信号処理回路１３５は、１つの測定系統を構成する。
【００２９】
電流電圧変換回路１３２は、フォトダイオード１２３により第２の受光信号として生成された電流信号を電圧信号に変換する。復調回路１３４は、電流電圧変換回路１３２により生成された電圧信号を、発光駆動回路１３７から通知された発光タイミングに基づいて、発光ダイオード１２４の赤外光発光に起因する電圧信号と発光ダイオード１２５の赤色光発光に起因する電圧信号とに分離し、それぞれを復調する。これにより、復調回路１３４は、第２のセンサ装着部位における赤外光の吸光度の経時変化を示す第２の赤外光観測信号と、第２のセンサ装着部位における赤色光の吸光度の経時変化を示す第２の赤色光観測信号とを生成する。信号処理回路１３６は、復調回路１３４により生成された第２の赤外光観測信号および第２の赤色光観測信号に対して所定の信号処理（例えば、増幅、Ａ／Ｄ変換など）を行い、信号処理後の第２の赤外光観測信号および第２の赤色光観測信号をＣＰＵ１３８に入力する。
【００３０】
よって、センサ１２０、電流電圧変換回路１３２、復調回路１３４および信号処理回路１３６は、もう１つの測定系統を構成する。
【００３１】
導出部としてのＣＰＵ１３８は、発光部１１２の発光駆動中は、第１の赤外光観測信号および第１の赤色光観測信号が入力されるため、第１の赤外光観測信号および第１の赤色光観測信号から、拍動に同期して変化する信号成分をそれぞれ抽出する。そして、ＣＰＵ１３８は、抽出した信号成分の比を算出し、算出した比から酸素飽和度を算出する。
【００３２】
また、ＣＰＵ１３８は、発光部１２２の発光駆動中は、第２の赤外光観測信号および第２の赤色光観測信号が入力されるため、第２の赤外光観測信号および第２の赤色光観測信号から拍動に同期して変化する信号成分をそれぞれ抽出する。そして、ＣＰＵ１３８は、抽出した信号成分の比を算出し、算出した比から酸素飽和度を算出する。
【００３３】
また、ＣＰＵ１３８は、発光部１１２、１２２の双方の発光駆動中は、入力された第１の赤外光観測信号および第１の赤色光観測信号から得られる酸素飽和度と入力された第２の赤外光観測信号および第２の赤色光観測信号から得られる酸素飽和度とを平均化する。例えば、第１の赤外光観測信号から抽出された信号成分と第２の赤外光観測信号から抽出された信号成分とを平均化するとともに、第１の赤色光観測信号から抽出された信号成分と第２の赤色光観測信号から抽出された信号成分とを平均化する。そして、平均化した信号成分間の比を算出し、算出した比から酸素飽和度を算出する。
【００３４】
また、ＣＰＵ１３８は、算出した酸素飽和度を、記憶部１４０に記憶させるほか、表示部１４１に表示させる。ＣＰＵ１３８は、記憶部１４０に予め記憶された酸素飽和度を表示部１４１に表示させることもできる。記憶部１４０は、半導体メモリ装置またはハードディスクなどの記憶装置であり、表示部１４１は、液晶ディスプレイなどの表示装置である。
【００３５】
また、ＣＰＵ１３８は、発光駆動回路１３７、記憶部１４０および表示部１４１の動作を制御する。この制御は例えば操作部１３９の入力操作に従って行われる。操作部１３９は、ボタン、マウス、キーボードまたはタッチパネルなどの入力装置である。
【００３６】
また、ＣＰＵ１３８は、必要時にアラーム音を音声出力部１４２に出力させる。音声出力部１４２はスピーカである。
【００３７】
また、ＣＰＵ１３８は、ノイズ検出部および異常検出部としての機能も有するが、ノイズ検出および異常検出については後述する。
【００３８】
以上、本実施の形態の生体情報モニタ装置の構成について説明した。
【００３９】
次いで、本実施の形態の生体情報モニタ装置において実行されるセンサ切り替え動作について、３つの例を挙げて説明する。
【００４０】
まず、センサ切り替え動作の第１の例として、タイマによってセンサを切り替える場合について、図６を用いて説明する。なお、この例では、センサ１１０、１２０がそれぞれ第１のセンサ装着部位および第２のセンサ装着部位に正しく装着されている場合を前提として説明する。
【００４１】
まず、ＣＰＵ１３８は、操作部１３９による測定開始操作が行われたことを認識すると（ステップＳ１１１：ＹＥＳ）、発光駆動回路１３７に指示を出力することにより、センサ１１０、１２０の一方を使用した酸素飽和度測定を開始させる（ステップＳ１１２）。
【００４２】
使用されるセンサは、デフォルトとしてＣＰＵ１３８が予め選択していてもよいし、操作部１３９による選択操作に従ってＣＰＵ１３８が選択してもよい。なお、ここで「使用」は、発光駆動の対象となることを意味している。
【００４３】
つまり、センサ１１０が使用される場合、ＣＰＵ１３８は、センサ１１０を使用させるための指示を発光駆動回路１３７に出力する。このとき、ＣＰＵ１３８は、センサ１１０の発光部１１２における発光ダイオード１１４、１１５を所定のタイミングで交互に発光させるための発光タイミング信号を発光駆動回路１３７に出力する。あるいは、センサ１２０が使用される場合、ＣＰＵ１３８は、センサ１２０を使用させるための指示を発光駆動回路１３７に出力する。このとき、ＣＰＵ１３８は、センサ１２０の発光部１２２における発光ダイオード１２４、１２５を所定のタイミングで交互に発光させるための発光タイミング信号を発光駆動回路１３７に出力する。このようにしてＣＰＵ１３８は、発光駆動回路１３７が実行する発光駆動を制御する。
【００４４】
ＣＰＵ１３８は、センサ１１０、１２０の一方を使用させた結果として、受光部１１１、１２１の一方にて得られた受光信号に基づいて酸素飽和度を導出する。ＣＰＵ１３８は、導出した酸素飽和度を、記憶部１４０に記憶させるとともに表示部１４１に表示させるための制御を行う。
【００４５】
センサ１１０、１２０の一方を使用した酸素飽和度測定の開始後、ＣＰＵ１３８は、測定および測定結果表示を継続させつつ、タイマを用いて経過時間のカウントを行う。
【００４６】
ここで、酸素飽和度の測定結果は、例えば図７に示すような態様で表示部１４１により画面に表示される。
【００４７】
図７に例示した表示画面１５０では、測定された酸素飽和度を、その経時変化を示す波形１５１として波形表示部１５２に、所定期間での平均測定値（以下、単に「測定値」という）１５３として測定値表示部１５４に、それぞれ表示することができる。
【００４８】
表示画面１５０には、センサ１１０、１２０のうち使用されたセンサに対応する波形１５１および測定値１５３が表示される一方、センサ１１０、１２０のうち使用されていないセンサに対応する波形および数値は表示されない。このため、表示内容を簡素化して見やすくすることができる。
【００４９】
なお、表示画面１５０では、波形表示部１５２に心電図および血圧の波形も表示され、測定値表示部１５４に心拍数、血圧、呼吸数および体温の数値も表示されている。本実施の形態の生体情報モニタ装置はこれらの生体パラメータの測定および表示が可能な構成も有しているが、従来技術の構成と同様であるため、その詳細な説明を省略する。
【００５０】
酸素飽和度の測定およびその結果表示ならびに経過時間のカウントと並行して、ＣＰＵ１３８は、操作部１３９による測定停止操作があったか否かを判断する（ステップＳ１１３）。測定停止操作があったと認識された場合には（ステップＳ１１３：ＹＥＳ）、ＣＰＵ１３８は、酸素飽和度測定およびその結果表示ならびに経過時間のカウントを停止させる。
【００５１】
測定停止操作がないと認識された場合には（ステップＳ１１３：ＮＯ）、ＣＰＵ１３８は、所定時間（例えば４時間）が経過したか否かを判断する（ステップＳ１１４）。センサ１１０、１２０の一方を使用した酸素飽和度測定が開始してから所定時間が経過していない場合には（ステップＳ１１４：ＮＯ）、処理はステップＳ１１３に戻る。
【００５２】
センサ１１０、１２０の一方を使用した酸素飽和度測定が開始してから所定時間が経過した場合には（ステップＳ１１４：ＹＥＳ）、ＣＰＵ１３８は、酸素飽和度測定に使用するセンサを切り替える（ステップＳ１１５）。つまり、所定時間が経過するまでセンサ１１０が使用されていた場合には、その後はセンサ１２０を使用した酸素飽和度測定が行われる。所定時間が経過するまでセンサ１２０が使用されていた場合には、その後はセンサ１１０を使用した酸素飽和度測定が行われる。
【００５３】
このように、センサ切り替えが行われると、図７に例示した表示画面１５０の測定値表示部１５４では、既に表示されている切り替え前のセンサに対応する測定値が、切り替え後のセンサに対応する測定値に更新される。また、表示画面１５０の波形表示部１５２では、既に表示されている切り替え前のセンサに対応する波形に続けて、切り替え後のセンサに対応する波形が掃引される。このように、切り替え前後の波形が上下段に分離表示されることなく１波形として表示され、切り替え前後の計測値も上下段に分離表示されることがない。よって、酸素飽和度測定に２つのセンサを使用していながら、あたかも１チャンネルのみの測定を行っているような表示内容を形成することができる。このため、表示内容の見やすさを一層向上させることができる。
【００５４】
次に、センサ切り替え動作の第２の例として、ノイズ検出によってセンサを切り替える場合について、図８を用いて説明する。なお、この例では、説明の簡略化のために、センサ１１０、１２０がそれぞれ第１のセンサ装着部位および第２のセンサ装着部位に正しく装着された状態で、酸素飽和度測定が停止されることなく継続実行される場合を前提として説明する。
【００５５】
まず、ＣＰＵ１３８は、前述の第１の例におけるステップＳ１１２と同様に、センサ１１０、１２０の一方を使用した酸素飽和度測定を開始させる（ステップＳ１２１）。そして、その測定の開始後、ＣＰＵ１３８は、測定および測定結果表示を継続させつつ、第１の赤外光観測信号および第１の赤色光観測信号または第２の赤外光観測信号および第２の赤色光観測信号におけるノイズ成分を検出する。
【００５６】
ノイズ成分検出の結果、ＣＰＵ１３８が、検出したノイズ成分の大きさが所定値以上ではなく、導出される酸素飽和度に所定レベル以上のノイズ成分が混入しないと判断した場合には（ステップＳ１２２：ＮＯ）、ＣＰＵ１３８はステップＳ１２２を再度実行する。
【００５７】
ノイズ成分が所定値以上であり、酸素飽和度に所定レベル以上のノイズ成分が混入すると判断された場合には（ステップＳ１２２：ＹＥＳ）、ＣＰＵ１３８は、酸素飽和度測定にセンサ１１０、１２０の一方だけでなく他方も使用させる（ステップＳ１２３）。
【００５８】
このとき、発光部１１２、１２２の双方の発光駆動中となるため、ＣＰＵ１３８は、前述のとおり酸素飽和度の平均化を行う。したがって、図７に例示した表示画面１５０において、測定値表示部１５４では、平均化された酸素飽和度の測定値１５３が表示され、波形表示部１５２では、平均化された酸素飽和度の波形１５１が表示される。
【００５９】
ＣＰＵ１３８は、センサ１１０、１２０の双方の使用を、検出したノイズ成分の大きさが所定値未満となるまで継続させる。ノイズ成分が所定値未満となり、酸素飽和度に所定レベル以上のノイズ成分が混入しないと判断された場合には（ステップＳ１２４：ＹＥＳ）、ＣＰＵ１３８は、酸素飽和度測定にセンサ１１０、１２０の一方のみを使用させる（ステップＳ１２５）。
【００６０】
このように、導出される酸素飽和度に所定レベル以上のノイズ成分が混入する場合には、センサ１１０、１２０の双方を使用した酸素飽和度測定への切り替えが実行される。そして、一方のセンサを含む一測定系統から得られる酸素飽和度の実測値は、他方のセンサを含む別測定系統から並行して得られる酸素飽和度の実測値との平均化により補正される。よって、より正確なノイズ除去を実現することができる。また、この切り替えは、所定レベル以上のノイズ成分が混入しているときに限った一時的なものであるため、センサ装着部位における低温やけどの発症を抑えることができる。
【００６１】
次に、センサ切り替え動作の第３の例として、測定異常の検出によってセンサを切り替える場合について、図９を用いて説明する。
【００６２】
まず、ＣＰＵ１３８は、操作部１３９による測定開始操作が行われたことを認識すると（ステップＳ１３１：ＹＥＳ）、発光駆動回路１３７に指示を出力することにより、センサ１１０、１２０の一方を使用した酸素飽和度測定を開始させる（ステップＳ１３２）。
【００６３】
センサ１１０、１２０の一方を使用した酸素飽和度測定の開始後、ＣＰＵ１３８は、測定および測定結果表示を継続させつつ、測定異常の検出を行う。ここで、測定異常とは、センサ外れやセンサ故障などを含むものである。センサ外れやセンサ故障などの測定異常は、例えば、センサ１１０またはセンサ１２０を使用して測定された酸素飽和度が異常値を呈しているか否かを判断することにより、認識することができる。あるいは、センサ１１０、１２０の装着状態または動作状態を電気的に診断することにより、認識することができる。
【００６４】
酸素飽和度の測定およびその結果表示ならびに測定異常の検出と並行して、ＣＰＵ１３８は、操作部１３９による測定停止操作があったか否かを判断する（ステップＳ１３３）。測定停止操作があったと認識された場合には（ステップＳ１３３：ＹＥＳ）、ＣＰＵ１３８は、酸素飽和度測定およびその結果表示ならびに測定異常の検出を停止させる。
【００６５】
測定停止操作がないと認識された場合には（ステップＳ１３３：ＮＯ）、ＣＰＵ１３８は、測定異常が検出されたか否かを判断する（ステップＳ１３４）。測定異常が検出されていない場合には（ステップＳ１３４：ＮＯ）、処理はステップＳ１３３に戻る。
【００６６】
測定異常が検出された場合には（ステップＳ１３４：ＹＥＳ）、ＣＰＵ１３８は、酸素飽和度測定に使用するセンサを切り替える（ステップＳ１３５）。つまり、測定異常が検出されるまでセンサ１１０が使用されていた場合には、その後はセンサ１２０を使用した酸素飽和度測定が行われる。測定異常が検出されるまでセンサ１２０が使用されていた場合には、その後はセンサ１１０を使用した酸素飽和度測定が行われる。
【００６７】
また、測定異常が検出された場合には、音声出力部１４２からアラーム音が出力されるようＣＰＵ１３８が音声出力制御を行うとともに、表示部１４１にも酸素飽和度測定異常アラームを表示するようＣＰＵ１４１が表示出力制御を行うことが好ましい。
【００６８】
このように、センサ切り替えが行われると、センサ外れやセンサ故障などのような測定異常が発生したときでも、センサ付け替えなどによって測定の中断を余儀なくされることなく、酸素飽和度の連続測定を行うことができる。
【００６９】
以上のように、本実施の形態によれば、発光部１１２、１２２を選択的に駆動して発光させる。そして、発光部１１２の発光駆動中は、受光部１１１にて得られる受光信号に基づいて酸素飽和度を導出し、発光部１２２の発光駆動中は、受光部１２１にて得られる第２の受光信号に基づいて酸素飽和度を導出する。これにより、数時間ごとにセンサ付け替えを行うなどの手間をかけることなく、センサ装着部位における低温やけどの発症を予防することができる。また、測定結果として表示される波形が途切れることがないため、酸素飽和度を実質的に長時間連続測定することができる。
【００７０】
以上、本発明の実施の形態について説明した。なお、本実施の形態は、種々変更して実施することができる。例えば、本実施の形態における上記の構成および動作は、パルスオキシメータや睡眠時無呼吸（ＳＡＳ）測定装置のような生体情報測定装置にも実現可能である。また、本実施の形態では、測定対象の生体情報は動脈血酸素飽和度であるが、動脈血酸素分圧（ＰａＯ２）であってもよい。
【符号の説明】
【００７１】
１１０、１２０  センサ
１１１、１２１  受光部
１１２、１２２  発光部
１１３、１２３  フォトダイオード
１１４、１１５、１２４、１２５  発光ダイオード
１３０  生体情報モニタ本体
１３１、１３２  電流電圧変換回路
１３３、１３４  復調回路
１３５、１３６  信号処理回路
１３７  発光駆動回路
１３８  ＣＰＵ
１３９  操作部
１４０  記憶部
１４１  表示部
１４２  音声出力部
１５０  表示画面
１５１  波形
１５２  波形表示部
１５３  測定値
１５４  測定値表示部
【図１】
0005544158.tif 000002
【図２】
0005544158.tif 000003
【図３Ａ】
0005544158.tif 000004
【図３Ｂ】
0005544158.tif 000005
【図４】
0005544158.tif 000006
【図５Ａ】
0005544158.tif 000007
【図５Ｂ】
0005544158.tif 000008
【図５Ｃ】
0005544158.tif 000009
【図６】
0005544158.tif 000010
【図７】
0005544158.tif 000011
【図８】
0005544158.tif 000012
【図９】
0005544158.tif 000013